(57)【要約】【課題】  部品点数の削減及び使い勝手の向上を図る。【解決手段】  押圧操作されることにより電源の投入を行う電源スイッチ１２と、第１の筐体２又は第２の筐体３に設けられ記憶媒体１００が装着される記憶媒体スロット４ａを有する媒体装着部４とを設け、第１の筐体又は第２の筐体のうち一方の筐体が他方の筐体に対して一方の方向へ移動されたときに閉塞位置から開放位置に遷移させ記憶媒体スロットを開放すると共に一方の筐体による押圧操作によって電源スイッチを入力し、第１の筐体又は第２の筐体のうち一方の筐体が他方の筐体に対して他方の方向へ移動されたときに開放位置から閉塞位置に遷移し記憶媒体スロットを閉塞すると共に一方の筐体による押圧操作を解除して電源スイッチを切断するようにした。【選択図】        図４
2008287563.tif 000002
【特許請求の範囲】
【請求項１】
第１の筐体と第２の筐体を備え何れか一方の筐体が他方の筐体に移動自在に支持された電子機器であって、
押圧操作されることにより電源の投入を行う電源スイッチと、
第１の筐体又は第２の筐体に設けられ記憶媒体が装着される記憶媒体スロットを有する媒体装着部とを備え、
第１の筐体又は第２の筐体のうち一方の筐体が他方の筐体に対して一方の方向へ移動されたときに閉塞位置から開放位置に遷移し記憶媒体スロットが開放されると共に一方の筐体による押圧操作によって電源スイッチが入力され、
第１の筐体又は第２の筐体のうち一方の筐体が他方の筐体に対して他方の方向へ移動されたときに開放位置から閉塞位置に遷移し記憶媒体スロットが閉塞されると共に一方の筐体による押圧操作が解除されて電源スイッチが切断されるようにした
ことを特徴とする電子機器。
【請求項２】
第１の筐体を第２の筐体に回動自在に支持し、
上記開放位置において記憶媒体スロットに対する記憶媒体の挿入方向が斜め下方となるように第１の筐体が第２の筐体に対して回動するようにした
ことを特徴とする請求項１に記載の電子機器。
【請求項３】
上記開放位置において一方の筐体を他方の筐体に対してロックし一方の筐体の他方の筐体に対する移動を規制するロック機構を設けた
ことを特徴とする請求項１に記載の電子機器。
【請求項４】
第１の筐体を第２の筐体に回動自在に支持し、
上記閉塞位置において記憶媒体スロットの挿入口が前方を向く状態とし、
上記開放位置において記憶媒体スロットの挿入口が前斜め上方を向く状態とし、
上記ロック機構にロック位置と非ロック位置との間で回動されるロックレバーを設け、
第１の筐体の上面に前後方向にスライド自在に支持されスライド操作されることによりロックレバーを回動させると共に前方へスライド操作されることによりロックレバーをロック位置から非ロック位置へ向けて回動させるスライド摘子を設け、
該スライド摘子が第１の筐体の第２の筐体に対する回動支点より前方に位置されているときにロックレバーが非ロック位置に存在するようにした
ことを特徴とする請求項３に記載の電子機器。
【発明の詳細な説明】
【技術分野】
【０００１】
本発明は電子機器についての技術分野に関する。詳しくは、一方の筐体が他方の筐体に対して移動されたときに記憶媒体スロットが開閉されると共に電源スイッチが入力又は切断されるようにして使い勝手の向上等を図る技術分野に関する。
【背景技術】
【０００２】
メモリーカード等の記憶媒体が挿入されて装着される記憶媒体スロットを有し、該記憶媒体スロットに装着された記憶媒体に対して情報信号の読込や読出を行う電子機器がある（例えば、特許文献１参照）。
【０００３】
特許文献１に記載された電子機器にあっては、筐体に形成された記憶媒体スロットの挿入口を開閉する回動可能な蓋体が設けられ、該蓋体がバネによって挿入口を閉塞する方向へ付勢されている。記憶媒体を記憶媒体スロットに挿入するときには挿入口を閉塞している蓋体を記憶媒体によってバネの付勢力に抗して押圧して回動させ、記憶媒体の全体が記憶媒体スロットに挿入されると蓋体がバネの付勢力によって元の位置まで回動されて再び挿入口が閉塞される。記憶媒体の全体が記憶媒体スロットに挿入されると、電子機器の電源が投入される。
【０００４】
このような電子機器にあっては、記憶媒体の全体が記憶媒体スロットに挿入されることにより電子機器の電源が投入されるため、専用の電源釦を設ける必要がない他、電源の投入を行う操作も必要がないと言う利点を有する。
【０００５】
【特許文献１】特公平０５−３６８７８号公報
【発明の開示】
【発明が解決しようとする課題】
【０００６】
ところが、特許文献１に記載された電子機器にあっては、蓋体が必要であるため、蓋体の組付作業が必要となると共に蓋体及びこれを付勢する機構も必要となり部品点数が増えると言う不具合がある。
【０００７】
また、記憶媒体の記憶媒体スロットに対する挿入時に、記憶媒体によって蓋体を押し退けて記憶媒体を記憶媒体スロットに挿入する必要があり、挿入時の抵抗が大きく記憶媒体スロットに対する記憶媒体の良好な挿入性を確保することができず使い勝手が悪いと言う問題もある。
【０００８】
そこで、本発明電子機器は、部品点数の削減及び使い勝手の向上を図ることを課題とする。
【課題を解決するための手段】
【０００９】
本発明電子機器は、押圧操作されることにより電源の投入を行う電源スイッチと、第１の筐体又は第２の筐体に設けられ記憶媒体が装着される記憶媒体スロットを有する媒体装着部とを設け、第１の筐体又は第２の筐体のうち一方の筐体が他方の筐体に対して一方の方向へ移動されたときに閉塞位置から開放位置に遷移させ記憶媒体スロットを開放すると共に一方の筐体による押圧操作によって電源スイッチを入力し、第１の筐体又は第２の筐体のうち一方の筐体が他方の筐体に対して他方の方向へ移動されたときに開放位置から閉塞位置に遷移し記憶媒体スロットを閉塞すると共に一方の筐体による押圧操作を解除して電源スイッチを切断するようにしたものである。
【００１０】
従って、本発明電子機器にあっては、記憶媒体スロットに対する記憶媒体の挿入が、電源の投入が行われる開放位置においてのみ可能とされる。
【発明の効果】
【００１１】
本発明電子機器は、第１の筐体と第２の筐体を備え何れか一方の筐体が他方の筐体に移動自在に支持された電子機器であって、押圧操作されることにより電源の投入を行う電源スイッチと、第１の筐体又は第２の筐体に設けられ記憶媒体が装着される記憶媒体スロットを有する媒体装着部とを備え、第１の筐体又は第２の筐体のうち一方の筐体が他方の筐体に対して一方の方向へ移動されたときに閉塞位置から開放位置に遷移し記憶媒体スロットが開放されると共に一方の筐体による押圧操作によって電源スイッチが入力され、第１の筐体又は第２の筐体のうち一方の筐体が他方の筐体に対して他方の方向へ移動されたときに開放位置から閉塞位置に遷移し記憶媒体スロットが閉塞されると共に一方の筐体による押圧操作が解除されて電源スイッチが切断されるようにしたことを特徴とする。
【００１２】
従って、記憶媒体スロットを閉塞するための専用の蓋体を必要とせず部品点数の削減を図ることができると共に蓋体が存在しないため記憶媒体の記憶媒体スロットに対する良好な挿入性を確保することができる。
【００１３】
請求項２に記載した発明にあっては、第１の筐体を第２の筐体に回動自在に支持し、上記開放位置において記憶媒体スロットに対する記憶媒体の挿入方向が斜め下方となるように第１の筐体が第２の筐体に対して回動するようにしたので、記憶媒体の挿入を行い易く、電子機器の使い勝手の向上を図ることができる。
【００１４】
請求項３に記載した発明にあっては、上記開放位置において一方の筐体を他方の筐体に対してロックし一方の筐体の他方の筐体に対する移動を規制するロック機構を設けたので、投入された電源の意図しない遮断を防止することができる。
【００１５】
請求項４に記載した発明にあっては、第１の筐体を第２の筐体に回動自在に支持し、上記閉塞位置において記憶媒体スロットの挿入口が前方を向く状態とし、上記開放位置において記憶媒体スロットの挿入口が前斜め上方を向く状態とし、上記ロック機構にロック位置と非ロック位置との間で回動されるロックレバーを設け、第１の筐体の上面に前後方向にスライド自在に支持されスライド操作されることによりロックレバーを回動させると共に前方へスライド操作されることによりロックレバーをロック位置から非ロック位置へ向けて回動させるスライド摘子を設け、該スライド摘子が第１の筐体の第２の筐体に対する回動支点より前方に位置されているときにロックレバーが非ロック位置に存在するようにしたので、第１の筐体の第２の筐体に対するロックを解除する動作と第１の筐体を閉塞位置へ向けて回動させる動作の両方の動作を一度に行うことができ、電子機器の使い勝手の向上を図ることができる。
【発明を実施するための最良の形態】
【００１６】
以下に、本発明電子機器を実施するための最良の形態を添付図面に従って説明する。
【００１７】
電子機器１は第１の筐体２と第２の筐体３とを有し、第１の筐体２が第２の筐体３に回動自在に支持されている（図１及び図２参照）。
【００１８】
第１の筐体２は、例えば、扁平な矩形状に形成され、媒体装着部４を有している。媒体装着部４には、その前面に挿入口を有する記憶媒体スロット４ａ、４ａ、・・・が形成されている。記憶媒体スロット４ａ、４ａ、・・・にはそれぞれ異なる種類の記憶媒体１００、１００、・・・が挿入されて装着される。第１の筐体２の上面部２ａにおける前端部にはスライド摘子５が前後方向へスライド自在に支持されている。
【００１９】
第２の筐体３は、例えば、上方に開口された矩形の箱状に形成された本体６と該本体６の内部に配置されたシャーシ７とを有している。本体６の前面には赤外線受光部６ａが設けられている。本体６の内部は配置空間６ｂとして形成され、該配置空間６ｂにシャーシ７が配置されている。
【００２０】
シャーシ７は上下方向を向くベース部８と該ベース部８の左右両端縁からそれぞれ上方へ突出された側面部９、９とを有している。側面部９の上縁は前後に延びる水平縁９ａと該水平縁９ａの後端から後方へ行くに従って下方へ変位するように傾斜された傾斜縁９ｂとから成る。側面部９、９には、図３及び図４に示すように、水平縁９ａ、９ａと傾斜縁９ｂ、９ｂ上にそれぞれクッションシート１０、１０、・・・が貼着されている。
【００２１】
一方の側面部９の前端部には外方へ突出されたロックピン９ｃが設けられている。
【００２２】
シャーシ７のベース部８における上面には、回路基板１１が配置されている（図３参照）。回路基板１１の上面における後端部には電源スイッチ１２が搭載されている。
【００２３】
第１の筐体２は、例えば、前後方向における略中央部を回動支点１３としてシャーシ７の側面部９、９に回動自在に支持されている。第１の筐体２は閉塞位置（図１及び図３参照）と開放位置（図２及び図４参照）との間で回動され、閉塞位置においては全体が配置空間６ｂに位置されて記憶媒体スロット４ａ、４ａ、・・・が閉塞され、開放位置においては回動支点１３より前側の部分が本体６から上方へ突出されて記憶媒体スロット４ａ、４ａ、・・・が開放される。第１の筐体２が開放位置にある状態においては、図４に示すように、記憶媒体スロット４ａ、４ａ、・・・が後下がりに傾斜した状態とされる。
【００２４】
電子機器１にはロック機構１４が設けられている（図１乃至図４参照）。ロック機構１４はロックレバー１５と該ロックレバーを所定の方向へ付勢する図示しない付勢バネとを有している。
【００２５】
ロックレバー１５は略上下方向に長く形成され、長手方向における略中央部が第１の筐体２の側面に回動自在に支持され、上端部がスライド摘子５に回動可能に連結されている。従って、ロックレバー１５はスライド摘子５のスライド動作に伴って第１の筐体２に対して回動される。ロックレバー１５は、スライド摘子５が後方の移動端に位置されたときに第１の筐体２を第２の筐体３に対してロックするロック位置まで回動され、スライド摘子５が前方の移動端に位置されたときに第１の筐体２のロックを解除するロック解除位置まで回動される。
【００２６】
ロックレバー１５の下端部には係合切欠１５ａが形成されている（図３及び図４参照）。係合切欠１５ａは側面部９に設けられたロックピン９ｃに係合可能とされている。ロックレバー１５は係合切欠１５ａが略前方へ移動する回動方向へ付勢バネによって付勢されている。ロックレバー１５がロック解除位置にあるときには、係合切欠１５ａの上側の部分がロックピン９ｃに後方から押し付けられて係合されている。
【００２７】
上記のように構成された電子機器１は、例えば、表示システム２００に用いられる（図５参照）。
【００２８】
表示システム２００は、電子機器１に加えて表示装置２０１及びリモコン装置２０２を備えている。
【００２９】
表示装置２０１と電子機器１は音声出力ケーブル２０３と画像出力ケーブル２０４によって接続され、電子機器１には電源アダプター２０５が設けられた電源コード２０６が接続されている。電子機器１には電源コード２０６及び電源アダプター２０５を介して電源が投入される。
【００３０】
リモコン装置２０２が操作されると、その操作に応じた指令信号が電子機器１の赤外線受光部６ａで受光され、電子機器１の駆動によって音声が出力されると共に表示装置２０１の表示画面２０１ａに画像が表示される。表示装置２０１の表示画面２０１ａには記憶媒体スロット４ａに装着された記憶媒体１００に読み込まれている画像（画像信号）が読み出されて表示される。
【００３１】
以下に、電子機器１における開閉動作について説明する（図１乃至図４参照）。
【００３２】
電子機器１において、第１の筐体２が閉塞位置にあるときには、電源の投入が行われていない。
【００３３】
閉塞位置にある第１の筐体２の後端部を下方へ押圧すると、図２及び図４に示すように、第１の筐体２が第２の筐体３に対して回動されて開放位置に至る。第１の筐体２が開放位置に至るときには、第１の筐体２によって回路基板１１に搭載された電源スイッチ１２が押圧され電子機器１に電源が投入される。このとき同時に第１の筐体２の回動により記憶媒体スロット４ａ、４ａ、・・・が開放される。
【００３４】
第１の筐体２が開放位置に至ったときには、該第１の筐体２の下面が傾斜縁９ｂ、９ｂに取り付けられたクッションシート１０、１０に接触する。従って、第１の筐体２がシャーシ７の側面部９、９に接触するときの衝撃を緩和することができると共に衝撃音の抑制を行うことができる。
【００３５】
第１の筐体２が閉塞位置から開放位置まで回動されるときには、ロックレバー１５の前縁がロックピン９ｃに摺動され、開放位置に至ったところで係合切欠１５ａにロックピン９ｃが係合されて第１の筐体２が第２の筐体３に対してロックされる。従って、第１の筐体２が開放位置にある状態において、第１の筐体２に下方への押圧力が付与されても該第１の筐体２は回動されない。
【００３６】
第１の筐体２が開放位置にあるときには、上記したように、記憶媒体スロット４ａ、４ａ、・・・の挿入口が前斜め上方を向いているため、記憶媒体スロット４ａ、４ａ、・・・に対する記憶媒体１００、１００、・・・の挿入方向が後斜め下方となり記憶媒体１００、１００、・・・の挿入を行い易く、電子機器１の使い勝手の向上を図ることができる。
【００３７】
記憶媒体スロット４ａ、４ａ、・・・に挿入された記憶媒体１００、１００、・・・は、一部が記憶媒体スロット４ａ、４ａ、・・・から前方へ突出した状態とされる。従って、記憶媒体スロット４ａ、４ａ、・・・からの記憶媒体１００、１００、・・・の取出は、突出された記憶媒体１００、１００、・・・の一部を把持することにより容易に行うことができる。
【００３８】
開放位置にある第１の筐体２の記憶媒体スロット４ａ、４ａ、・・・から記憶媒体１００、１００、・・・を引き抜いた状態において、スライド摘子５を前方へスライドさせると、ロックレバー１５が下端部が後方へ移動される方向へ回動される。ロックレバー１５が回動されると、係合切欠１５ａのロックピン９ｃに対する係合が解除され、第１の筐体２の第２の筐体３に対するロックが解除される。従って、第１の筐体２が回動可能な状態とされ、第１の筐体２の前端部が下方へ押圧されることにより該第１の筐体２が電源スイッチ１２から上方へ離隔され、電子機器１に投入されていた電源が遮断されると共に記憶媒体スロット４ａ、４ａ、・・・が閉塞されて第１の筐体２が閉塞位置に至る。
【００３９】
上記したように、電子機器１には、開放位置において第１の筐体２の第２の筐体３に対する回動を規制するロック機構１４が設けられているため、第１の筐体２に下方への外力が付与されても閉塞位置へ向けて回動されることがなく、電子機器１に投入された電源の意図しない遮断を防止することができる。
【００４０】
また、開放位置において記憶媒体１００、１００、・・・の一部が記憶媒体スロット４ａ、４ａ、・・・から突出している場合においても、第１の筐体２が閉塞位置へ向けて回動されることがないため、記憶媒体１００、１００、・・・と第２の筐体３の本体６の前端部との接触を回避することができる。
【００４１】
スライド摘子５を前方へスライドさせたときには、スライド摘子５を指で下方に押さえてスライドさせるため、第１の筐体２の前端部に下方への押圧力が付与される。従って、スライド摘子５に対する操作に伴って第１の筐体２に下方への押圧力が付与されるため、第１の筐体２の第２の筐体３に対するロックを解除する動作と第１の筐体２を閉塞位置へ向けて回動させる動作の両方の動作を一度に行うことができ、電子機器１の使い勝手の向上を図ることができる。
【００４２】
第１の筐体２が閉塞位置に至ったときには、該第１の筐体２の下面が水平縁９ａ、９ａに取り付けられたクッションシート１０、１０に接触する。従って、第１の筐体２がシャーシ７の側面部９、９に接触するときの衝撃を緩和することができると共に衝撃音の抑制を行うことができる。
【００４３】
以上に記載した通り、電子機器１にあっては、第１の筐体２が第２の筐体３に対して一方へ回動されたときに閉塞位置から開放位置に至り電源スイッチ１２が入力されると共に記憶媒体スロット４ａ、４ａ、・・・が開放され、第１の筐体２が第２の筐体３に対して他方へ回動されたときに開放位置から閉塞位置に至り電源スイッチ１２が切断されると共に記憶媒体スロット４ａ、４ａ、・・・が閉塞される。
【００４４】
従って、記憶媒体スロット４ａ、４ａ、・・・を閉塞するための専用の蓋体を必要とせず、蓋体の組付作業も必要としないため、部品点数の削減及び電子機器１における組立作業の簡素化を図ることができる。
【００４５】
また、記憶媒体スロット４ａ、４ａ、・・・を閉塞する蓋体が存在しないため、記憶媒体１００、１００、・・・の記憶媒体スロット４ａ、４ａ、・・・に対する良好な挿入性を確保することができ電子機器１の使い勝手の向上を図ることができる。
【００４６】
上記には、記憶媒体スロット４ａ、４ａ、・・・を有する第１の筐体２が第２の筐体３に対して回動されるように構成された電子機器１を例として示したが、電子機器はこのような構成に限られることはなく、一方の筐体に記憶媒体スロットが形成され、何れか一方の筐体が他方の筐体に対して動作されて記憶媒体スロットが開閉される構成とされた電子機器であれば本発明に適用可能である。
【００４７】
このような適用例としては、例えば、図６及び図７に示す電子機器１Ａのように、リング状の第１の筐体２Ａと円柱状の第２の筐体３Ａとを備え、第１の筐体２Ａが第２の筐体３Ａの外周において回転可能とされ、第２の筐体３Ａに記憶媒体スロット１６、１６、・・・が形成された例がある。
【００４８】
電子機器１Ａにあっては、第１の筐体２Ａが閉塞位置から一方へ回転されることにより開放位置に至り、図示しない電源スイッチが入力されると共に記憶媒体スロット１６、１６、・・・が開放される。逆に、第１の筐体２Ａが開放位置から他方へ回転されることにより閉塞位置に至り、電源スイッチが切断されると共に記憶媒体スロット１６、１６、・・・が閉塞される。
【００４９】
他の適用例としては、例えば、図８及び図９に示す電子機器１Ｂのように、ブロック状の第１の筐体２Ｂと上方に開口された箱状の第２の筐体３Ｂとを備え、第１の筐体２Ｂが第２の筐体３Ｂに対して昇降可能とされ、第１の筐体２Ｂに記憶媒体スロット１６、１６、・・・が形成された例がある。
【００５０】
電子機器１Ｂにあっては、第１の筐体２Ｂが閉塞位置から上昇されることにより開放位置に至り、図示しない電源スイッチが入力されると共に記憶媒体スロット１６、１６、・・・が開放される。逆に、第１の筐体２Ｂが開放位置から下降されることにより閉塞位置に至り、電源スイッチが切断されると共に記憶媒体スロット１６、１６、・・・が閉塞される。
【００５１】
尚、第１の筐体２Ｂの上昇及び下降は、例えば、何れも第１の筐体２Ｂが下方へ押圧されることにより行われる。
【００５２】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００５３】
【図１】図２乃至図９と共に本発明電子機器の最良の形態を示すものであり、本図は、第１の筐体が閉塞位置にある状態を示す電子機器の概略斜視図である。
【図２】第１の筐体が開放位置にある状態を示す電子機器の概略斜視図である。
【図３】第１の筐体が閉塞位置にある状態を示す電子機器の概略側面図である。
【図４】第１の筐体が開放位置にある状態を示す電子機器の概略側面図である。
【図５】表示システムの構成を示す概略図である。
【図６】図７と共に適用例を示すものであり、本図は、記憶媒体スロットが閉塞された状態を示す概略斜視図である。
【図７】記憶媒体スロットが開放された状態を示す概略斜視図である。
【図８】図９と共に別の適用例を示すものであり、本図は、記憶媒体スロットが閉塞された状態を示す概略斜視図である。
【図９】記憶媒体スロットが開放された状態を示す概略斜視図である。
【符号の説明】
【００５４】
１…電子機器、２…第１の筐体、３…第２の筐体、４…媒体装着部、４ａ…記憶媒体スロット、５…スライド摘子、１２…電源スイッチ、１４…ロック機構、１５…ロックレバー、１００…記憶媒体、１Ａ…電子機器、２Ａ…第１の筐体、３Ａ…第２の筐体、１６…記憶媒体スロット、１Ｂ…電子機器、２Ｂ…第１の筐体、３Ｂ…第２の筐体
【図１】
2008287563.tif 000003
【図２】
2008287563.tif 000004
【図３】
2008287563.tif 000005
【図４】
2008287563.tif 000006
【図５】
2008287563.tif 000007
【図６】
2008287563.tif 000008
【図７】
2008287563.tif 000009
【図８】
2008287563.tif 000010
【図９】
2008287563.tif 000011